(57)【要約】【課題】２つの梱包対象物を好適に梱包することができる梱包材を実現する。【解決手段】１枚の段ボール材を折り曲げて組み上げてなる複数の角筒状構造を有する一対の梱包材である右側サイドパッド１と左側サイドパッド２は、良好な緩衝効果や耐衝撃性を有するとともに、第１の梱包対象物である充電器Ｃを嵌入させる嵌入凹部１ｃ、２ｃと、第２の梱包対象物である付属アダプタＡを載置する切欠状段部１ｂ、２ｂとを備えているので、この右側サイドパッド１と左側サイドパッド２によって、第１の梱包対象物を挟み込むとともに、右側サイドパッド１と左側サイドパッド２に第２の梱包対象物を掛け渡すように収容して、２種類の梱包対象物を同梱するように梱包することを可能にした。【選択図】図１
2008222298.tif 000002
【特許請求の範囲】
【請求項１】
１枚の段ボール材を折り曲げて組み上げてなる複数の角筒状構造を有する梱包材であって、
第１の梱包対象物を嵌入させる嵌入凹部と、当該梱包材の一の角部に形成されてなる、第２の梱包対象物を載置させる切欠状段部と、を備え、
前記嵌入凹部は、前記角筒状構造に囲われてなり、
前記切欠状段部は、当該梱包材における第１面を構成する段ボール材が略Ｌ字状に折り曲げられてなる２つの面部に対して、前記第１面にそれぞれ交わる第２面と第３面とを構成する段ボール材をそれぞれ重ねるように折り曲げられてなり、その切欠状段部をなす２つの面部は、それぞれ前記角筒状構造において略直交する段ボール材によって支えられていることを特徴とする梱包材。
【請求項２】
１枚の段ボール材を折り曲げて組み上げてなる複数の角筒状構造を有する梱包材であって、
第１の梱包対象物を嵌入させる嵌入凹部と、当該梱包材の一の角部に形成されてなる、第２の梱包対象物を載置させる切欠状段部と、を備え、
前記嵌入凹部は、前記角筒状構造に囲われてなり、前記切欠状段部は、前記角筒状構造に支えられてなることを特徴とする梱包材。
【請求項３】
前記切欠状段部は、当該梱包材における第１面を構成する段ボール材が略Ｌ字状に折り曲げられてなる２つの面部に対して、前記第１面にそれぞれ交わる第２面と第３面とを構成する段ボール材をそれぞれ重ねるように折り曲げられてなることを特徴とする請求項２に記載の梱包材。
【請求項４】
前記切欠状段部は、前記角筒状構造において略直交する段ボール材によって支えられていることを特徴とする請求項２又は３に記載の梱包材。
【発明の詳細な説明】
【技術分野】
【０００１】
本発明は、梱包材に係り、特に梱包対象物を収納箱に収納する際に用いる梱包材に関する。
【背景技術】
【０００２】
従来、テレビジョン受信機の４つのコーナ部に緩衝材を配して、その緩衝材ごとテレビジョン受信機をパッキングケース内に収納するとともに、緩衝材間に掛け渡したリモコン収納箱にリモコンを収納するようにして、テレビジョン受信機とリモコンを梱包する梱包装置が知られている（例えば、特許文献１参照。）。
【０００３】
また、梱包対象物の端部が嵌入可能な開口部を有する緩衝材を用いて、その緩衝材２つによって梱包対象物を挟み込むとともに、その緩衝材ごと梱包対象物を包装箱に収納する技術が知られている（例えば、特許文献２参照。）。
そして、その緩衝材に形成されているＬ型部分に付属品などを収納することが可能になっている。
【特許文献１】特開平７−１８７２４８号公報
【特許文献２】特開平９−３０１４３７号公報
【発明の開示】
【発明が解決しようとする課題】
【０００４】
しかしながら、上記特許文献１におけるリモコン収納箱と、上記特許文献２における緩衝材のＬ型部分は、ダンボール板などが略Ｌ字状に折り曲げられて成形されたものであるので、その強度は弱く、リモコンなどの付属品を衝撃や振動から保護するように梱包することはできなかった。
【０００５】
本発明の目的は、２つの梱包対象物を好適に梱包することができる梱包材を提供することである。
【課題を解決するための手段】
【０００６】
以上の課題を解決するため、請求項１に記載の発明は、１枚の段ボール材を折り曲げて組み上げてなる複数の角筒状構造を有する梱包材であって、
第１の梱包対象物を嵌入させる嵌入凹部と、当該梱包材の一の角部に形成されてなる、第２の梱包対象物を載置させる切欠状段部と、を備え、
前記嵌入凹部は、前記角筒状構造に囲われてなり、
前記切欠状段部は、当該梱包材における第１面を構成する段ボール材が略Ｌ字状に折り曲げられてなる２つの面部に対して、前記第１面にそれぞれ交わる第２面と第３面とを構成する段ボール材をそれぞれ重ねるように折り曲げられてなり、その切欠状段部をなす２つの面部は、それぞれ前記角筒状構造において略直交する段ボール材によって支えられていることを特徴とする。
【０００７】
請求項２に記載の発明は、１枚の段ボール材を折り曲げて組み上げてなる複数の角筒状構造を有する梱包材であって、
第１の梱包対象物を嵌入させる嵌入凹部と、当該梱包材の一の角部に形成されてなる、第２の梱包対象物を載置させる切欠状段部と、を備え、
前記嵌入凹部は、前記角筒状構造に囲われてなり、前記切欠状段部は、前記角筒状構造に支えられてなることを特徴とする。
【０００８】
請求項３に記載の発明は、請求項２に記載の梱包材において、
前記切欠状段部は、当該梱包材における第１面を構成する段ボール材が略Ｌ字状に折り曲げられてなる２つの面部に対して、前記第１面にそれぞれ交わる第２面と第３面とを構成する段ボール材をそれぞれ重ねるように折り曲げられてなることを特徴とする。
【０００９】
請求項４に記載の発明は、請求項２又は３に記載の梱包材において、
前記切欠状段部は、前記角筒状構造において略直交する段ボール材によって支えられていることを特徴とする。
【発明の効果】
【００１０】
請求項１に記載の発明によれば、梱包材は、１枚の段ボール材を折り曲げて組み上げてなる複数の角筒状構造を有するので、梱包材には、それらの角筒状構造による良好な緩衝効果や耐衝撃性が付与されることとなる。なお、角筒状構造とは、例えば、折り曲げられた段ボール材が四面をなし、その四面の内部に空間を確保するようになっている角型の筒構造である。
そして、梱包材は、周囲が角筒状構造に囲われてなる、第１の梱包対象物を嵌入させる嵌入凹部を備えているので、その嵌入凹部に梱包対象物を嵌入させるようにして、梱包材によって梱包対象物を挟み込み、梱包材とともに所定の収納箱（包装箱）に梱包対象物を収納して梱包することによって、その梱包対象物を、収納箱の外部からの衝撃や振動から保護することが可能になる。
【００１１】
特に、梱包材は、梱包材の一の角部に形成されてなる、第２の梱包対象物を載置させるための切欠状段部を備えているので、この梱包材によって、第１の梱包対象物と第２の梱包対象物の２種類の対象物品を同梱するように梱包することができる。
つまり、安定した構造を有する梱包材によって、第１の梱包対象物と第２の梱包対象物は、それぞれ好適に梱包されることとなるので、この梱包材は、２つの梱包対象物を好適に梱包することができる梱包材として使用することができる。
【００１２】
また、梱包材の切欠状段部は、この梱包材における第１面を構成する段ボール材が略Ｌ字状に折り曲げられてなる２つの面部に対して、第１面にそれぞれ交わる第２面と第３面とを構成する段ボール材をそれぞれ重ねるように折り曲げられて形成されており、切欠状段部をなす２つの面部は、第１面を構成する段ボール材と第２面を構成する段ボール材とが２枚重ねされた面部と、第１面を構成する段ボール材と第３面を構成する段ボール材とが２枚重ねされた面部とによってなるので、切欠状段部におけるそれら面の強度はより強くなっている。
つまり、梱包材の切欠状段部は、梱包対象物をより好適に支えることが可能になる。
【００１３】
また、梱包材における切欠状段部をなす２つの面部は、それぞれ角筒状構造において略直交する段ボール材によって支えられており、その切欠状段部は強い柱状あるいは梁状の段ボール材により補強されることとなるので、切欠状段部は、その面部に載置される第２の梱包対象物を良好に支える強度を有する。
つまり、梱包材は、切欠状段部によって、比較的重い梱包対象物であっても好適に支えて収容することが可能になる。
【００１４】
請求項２に記載の発明によれば、梱包材は、１枚の段ボール材を折り曲げて組み上げてなる複数の角筒状構造を有するので、梱包材には、それらの角筒状構造による良好な緩衝効果や耐衝撃性が付与されることとなる。なお、角筒状構造とは、例えば、折り曲げられた段ボール材が四面をなし、その四面の内部に空間を確保するようになっている角型の筒構造である。
そして、梱包材は、第１の梱包対象物を嵌入させる嵌入凹部を備えているので、その嵌入凹部に梱包対象物を嵌入させるようにして、梱包材によって梱包対象物を挟み込み、梱包材とともに所定の収納箱（包装箱）に梱包対象物を収納して梱包することによって、その梱包対象物を、収納箱の外部からの衝撃や振動から保護することが可能になる。
特に、梱包材は、梱包材の一の角部に形成されてなる、第２の梱包対象物を載置させるための切欠状段部を備えているので、この梱包材によって、第１の梱包対象物と第２の梱包対象物の２種類の対象物品を同梱するように梱包することができる。
つまり、安定した構造を有する梱包材によって、第１の梱包対象物と第２の梱包対象物は、それぞれ好適に梱包されることとなるので、この梱包材は、２つの梱包対象物を好適に梱包することができる梱包材として使用することができる。
【００１５】
請求項３に記載の発明によれば、請求項２に記載の発明と同様の効果が得られることは無論のこと、切欠状段部は、この梱包材における第１面を構成する段ボール材が略Ｌ字状に折り曲げられてなる２つの面部に対して、第１面にそれぞれ交わる第２面と第３面とを構成する段ボール材をそれぞれ重ねるように折り曲げられて形成されており、切欠状段部をなす２つの面部は、第１面を構成する段ボール材と第２面を構成する段ボール材とが２枚重ねされた面部と、第１面を構成する段ボール材と第３面を構成する段ボール材とが２枚重ねされた面部とによってなるので、切欠状段部におけるそれら面の強度はより強くなっている。
つまり、梱包材の切欠状段部は、梱包対象物をより好適に支えることが可能になる。
【００１６】
請求項４に記載の発明によれば、請求項２又は３に記載の発明と同様の効果が得られることは無論のこと、切欠状段部をなす２つの面部は、それぞれ角筒状構造において略直交する段ボール材によって支えられており、その切欠状段部は強い柱状あるいは梁状の段ボール材により補強されることとなるので、切欠状段部は、その面部に載置される第２の梱包対象物を良好に支える強度を有する。
つまり、梱包材は、切欠状段部によって、比較的重い梱包対象物であっても好適に支えて収容することが可能になる。
【発明を実施するための最良の形態】
【００１７】
以下、図を参照して本発明に係る梱包材の実施形態を詳細に説明する。
本実施形態では、第１の梱包対象物である充電器を包装箱に梱包する際に用いる梱包材であって、左右一対の梱包材によって充電器を挟み込むとともに、その梱包材ごと充電器を包装箱に収納する梱包材について説明する。
なお、発明の範囲は、図示例に限定されない。
【００１８】
左右一対の梱包材は、図１に示すように、透明な樹脂製袋に封入された充電器Ｃの右側に取り付ける右側サイドパッド１と、充電器Ｃの左側に取り付ける左側サイドパッド２とからなる。
この右側サイドパッド１と左側サイドパッド２とは、左右対称の構造を有しており、その右側サイドパッド１と左側サイドパッド２とによって充電器Ｃを挟み込んで、その充電器Ｃを包装箱Ｂに収納して梱包するようになっている。
【００１９】
右側サイドパッド１は、図２に示すような、１枚の段ボール材を折り曲げて組み上げてなる立体構造を有し、左側サイドパッド２は、図３に示すような、１枚の段ボール材を折り曲げて組み上げてなる立体構造を有する。
【００２０】
そして、対をなす右側サイドパッド１と左側サイドパッド２とが対向する内面側には、充電器Ｃの両側部をそれぞれ嵌入させる嵌入凹部１ｃ、嵌入凹部２ｃがそれぞれ設けられているので、右側サイドパッド１と左側サイドパッド２とによって挟み込まれた充電器Ｃは、がたつくことなく包装箱Ｂに収納されることとなる。
【００２１】
また、対をなす右側サイドパッド１と左側サイドパッド２における、それぞれの上面と前面とが成す角部である一の角部には、それぞれ切欠状段部１ｂ、切欠状段部２ｂが設けられている。
そして、図１に示すように、右側サイドパッド１の切欠状段部１ｂと、左側サイドパッド２の切欠状段部２ｂに掛け渡すように、第２の梱包対象物である付属アダプタＡが納められた小箱３が載置されるようになっており、充電器Ｃとともに小箱３に納めた付属アダプタＡを包装箱Ｂに梱包可能になっている。
【００２２】
展開された状態の右側サイドパッド１は、図２に示すように、外面部１０と、外面部１０の一方側である上方向に延在する上板部１１と、外面部１０の他方側である下方向に延在する下板部１２と、外面部１０の前方向に延在する前板部１３と、外面部１０の後方向に延在する後板部１４と、を有している。
【００２３】
外面部１０は、右側サイドパッド１を梱包材として使用する際に、梱包材の外側面となる板面部である。
図２に示すように、外面部１０における上端側であって、外面部１０と上板部１１の境界は、前板部１３側に形成された切れ目１０ａと、後板部１４側の折り線とによって区切られており、その切れ目１０ａと平行であってほぼ同じ長さの切れ目１０ｂが外面部１０に形成されている。
そして、図２に示す、右側サイドパッド１の外面部１０における右上角側に、図中縦方向の折り線に区切られる切片１００が設けられている。
【００２４】
上板部１１は、図２に示すように、図中横方向の折り線によって区切られてなる４つの面部１１１、１１２、１１３、１１４を有している。
そして、第１面部１１１は、図中縦方向の折り線によって区切られ、前方向に延出する延在片１１１ａ、１１１ｂと、後方向に延出する延在片１１１ｃを有している。
また、第３面部１１３は、図中縦方向の折り線によって区切られ、後方向に延出する延在片１１３ａを有している。
【００２５】
下板部１２は、図２に示すように、図中横方向の折り線によって区切られてなる４つの面部１２１、１２２、１２３、１２４を有している。
そして、第１面部１２１は、図中縦方向の折り線によって区切られ、前方向に延出する延在片１２１ａと、後方向に延出する延在片１２１ｂを有している。
また、第３面部１２３は、図中縦方向の折り線によって区切られ、前方向に延出する延在片１２３ａと、後方向に延出する延在片１２３ｂを有している。
【００２６】
前板部１３は、図２に示すように、図中縦方向の折り線によって区切られてなる３つの面部１３１、１３２、１３３を有している。
そして、第１面部１３１は、図中横方向の折り線によって区切られ、上方向に延出する延在片１３１ａを有している。
【００２７】
後板部１４は、図２に示すように、図中縦方向の折り線によって区切られてなる５つの面部１４１、１４２、１４３、１４４、１４５を有している。
そして、第４面部１４４は、図中横方向の折り線によって区切られ、上方向に延出する延在片１４４ａと、下方向に延出する延在片１４４ｂを有している。
なお、第３面部１４３は、第３面部１４３と第４面部１４４の境界の略中央に第４面部１４４側に張り出す爪部１４３ａを有している。
【００２８】
次に、右側サイドパッド１を立体的に組み上げる工程について説明する。
【００２９】
まず、図４（ａ）に示すように、右側サイドパッド１の上板部１１の延在片１１１ｃを折り線に沿って谷折りに折り曲げ、上板部１１の延在片１１３ａを折り線に沿って山折りに折り曲げる。
また、右側サイドパッド１の下板部１２の延在片１２１ａ、１２１ｂを折り線に沿って谷折りに折り曲げ、下板部１２の延在片１２３ａ、１２３ｂを折り線に沿って山折りに折り曲げる。
【００３０】
次いで、図４（ｂ）に示すように、右側サイドパッド１の上板部１１の４つの面部１１１、１１２、１１３、１１４を折り線に沿って谷折りに折り曲げて、角筒状構造を形成するように、上板部１１を外面部１０側に巻き込むように折り返す。
また、右側サイドパッド１の下板部１２の４つの面部１２１、１２２、１２３、１２４を折り線に沿って谷折りに折り曲げて、角筒状構造を形成するように、下板部１２を外面部１０側に巻き込むように折り返す。
【００３１】
次いで、図４（ｃ）に示すように、右側サイドパッド１の前板部１３の３つの面部１３１、１３２、１３３を折り線に沿って谷折りに折り曲げて角筒状構造を形成するように、前板部１３を外面部１０側に折り返す。
【００３２】
次いで、図４（ｄ）に示すように、右側サイドパッド１の後板部１４の延在片１４４ａと延在片１４４ｂを折り線に沿って谷折りに折り曲げる。
そして、右側サイドパッド１の後板部１４の５つの面部１４１、１４２、１４３、１４４、１４５を折り線に沿って折り曲げて、角筒状構造を形成するように、後板部１４を外面部１０側に折り返す。なお、第３面部１４３と第４面部１４４の間の折り線は山折りにし、その他の折り線は谷折りにする。
【００３３】
次いで、図４（ｅ）に示すように、上板部１１の延在片１１１ａと延在片１１１ｂの間の折り線を山折りに折り曲げるとともに、上板部１１の第１面部１１１と延在片１１１ａの間の折り線を谷折りに折り曲げる。
そして、延在片１１１ａと延在片１１１ｂが略Ｌ字状に折り曲げられてなり、延在片１１１ａの面が前方を向き、延在片１１１ｂの面が上方を向く配置となる段部を形成する。
つまり、右側サイドパッド１における第１面としての上面を構成する段ボール材が略Ｌ字状に折り曲げられてなる延在片１１１ａの面部と延在片１１１ｂの面部によって、段部を形成する。
【００３４】
次いで、図４（ｆ）に示すように、外面部１０の切片１００を折り線に沿って谷折りに折り曲げ、前板部１３の延在片１３１ａを折り線に沿って谷折りに折り曲げる。
具体的に、略Ｌ字状に折り曲げられてなる延在片１１１ａの面に折り重ねるように、外面部１０の切片１００を折り曲げ、略Ｌ字状に折り曲げられてなる延在片１１１ｂの面に折り重ねるように、前板部１３の延在片１３１ａを折り曲げる。
つまり、右側サイドパッド１における第１面としての上面を構成する段ボール材が略Ｌ字状に折り曲げられてなる２つの面部（延在片１１１ａの面部、延在片１１１ｂの面部）であって、延在片１１１ａの面部に対して、第１面（上面）に交わる第２面としての外面を構成する外面部１０の切片１００を重ねるように折り曲げ、また、延在片１１１ｂの面部に対して、第１面（上面）に交わる第３面としての前面を構成する前板部１３の延在片１３１ａを重ねるように折り曲げて、図４（ｇ）に示すように、切欠状段部１ｂを形成する。
【００３５】
また、図５に示すように、組み上げられた右側サイドパッド１の内面側に、前板部１３の第３面部１３３と、下板部１２の第３面部１２３と、後板部１４の第３面部１４３と第４面部１４４と、上板部１１の第３面部１１３と、延在片１１１ａと延在片１１１ｂの面部とによって囲われてなる嵌入凹部１ｃが形成されるようになっている。
特に、嵌入凹部１ｃは、その周囲四方をほぼ角筒状構造によって囲われているので、嵌入凹部１ｃに収容される充電器Ｃなどの梱包対象物を、外部から作用する衝撃や振動から保護するように収容することができる。
また、嵌入凹部１ｃを構成する後板部１４の第４面部１４４は、外面部１０から離間しており、その第４面部１４４と外面部１０の間に空間を有しているので、嵌入凹部１ｃに収容される充電器Ｃなどの梱包対象物を、より良好に保護するように収容することができる。なお、後板部１４の第３面部１４３における爪部１４３ａが、外面部１０に略垂直に突き当たることによって、第４面部１４４の配置を安定させて、第４面部１４４と外面部１０の間の空間が好適に保たれるようになっている。
【００３６】
また、切欠状段部１ｂは、図６（ａ）（ｂ）に示すように、右側サイドパッド１の上面と前面がなす凸状の角部が切り欠かれて凹状となった段形状を呈する部分である。
具体的には、図６（ａ）に示すように、仮想頂点Ｐにおいてそれぞれ直交する３つの面である第１面としての上面と、第２面としての外面と、第３面としての前面とを構成する段ボール材が折り曲げられて、切欠状段部１ｂが設けられている。
そして、切欠状段部１ｂにおいて前方を向く面は、上板部１１の延在片１１１ａと外面部１０の切片１００との２枚の段ボール材が重なっており、また、切欠状段部１ｂにおいて上方を向く面は、上板部１１の延在片１１１ｂと前板部１３の延在片１３１ａとの２枚の段ボール材が重なっているので、切欠状段部１ｂにおけるそれら面の強度はより強くなっている。
また、略Ｌ字状に折り曲げられた延在片１１１ａと延在片１１１ｂに、それぞれ切片１００と延在片１３１ａを折り重ねているので、略Ｌ字状となった延在片１１１ａと延在片１１１ｂが折り曲げられる前の状態に戻ろうとする撥ね返りを防ぐことができ、切欠状段部１ｂの形状を維持することができる。
【００３７】
特に、切欠状段部１ｂにおいて前方を向く面であって、上板部１１の延在片１１１ａと外面部１０の切片１００とが重なった面部は、図６（ｂ）に示すように、段ボール材が組み上げられてなる角筒状構造の一部であって、上板部１１の第３面部１１３と、後板部１４の第４面部１４４と延在片１４４ａとが略直交してなる略Ｔ字状を呈する段ボール材によって支えられている。
同様に、切欠状段部１ｂにおいて上方を向く面であって、上板部１１の延在片１１１ｂと前板部１３の延在片１３１ａとが重なった面部は、図６（ｂ）に示すように、段ボール材が組み上げられてなる角筒状構造の一部であって、前板部１３の第３面部１３３と、後板部１４の第４面部１４４と第５面部１４５とが略直交してなる略Ｔ字状を呈する段ボール材によって支えられている。
そして、略Ｔ字状を呈するように組まれた段ボール材であって、支持部材としての機能を有する段ボール材によって支えられる切欠状段部１ｂをなす２つの面部は、切欠状段部１ｂに載置される小箱３（付属アダプタＡが納められた小箱３）を良好に支えることが可能になっている。
【００３８】
この右側サイドパッド１の立体形状は、段ボール材を折り曲げて組み上げてなる複数の角筒状構造を有しており、特に、幾つかの角筒状構造が互いに略垂直に交わるように組まれているので、右側サイドパッド１は安定した構造を有しており、その立体形状は好適に維持されるようになっている。
つまり、右側サイドパッド１に形成された嵌入凹部１ｃの空間は、好適に維持されるようになっており、その嵌入凹部１ｃに充電器Ｃなどの梱包対象物を保護するように収容することができる。
また、右側サイドパッド１に形成された切欠状段部１ｂは、その切欠状段部１ｂに載置される小箱３などの梱包対象物（付属アダプタＡ）を良好に支える強度を有しており、比較的重い梱包対象物であっても好適に収容することができる。
【００３９】
このように組み上げられて形成された右側サイドパッド１と、同様に立体的に組み上げられた左側サイドパッド２とによって、充電器Ｃを左右から挟み込むことが可能になっている。
【００４０】
なお、展開された状態の左側サイドパッド２は、図３に示すように、外面部２０と、外面部２０の一方側である上方向に延在する上板部２１と、外面部２０の他方側である下方向に延在する下板部２２と、外面部２０の前方向に延在する前板部２３と、外面部２０の後方向に延在する後板部２４と、を有している。この左側サイドパッド２は、右側サイドパッド１と左右対称の形状を呈している。
そして、外面部２０と上板部２１と下板部２２と前板部２３と後板部２４とを、それぞれ折り線に沿って折り曲げて、左側サイドパッド２を組み上げる工程は右側サイドパッド１の場合と左右反転すること以外は同様であり、左側サイドパッド２が複数の角筒状構造からなり、嵌入凹部２ｃや切欠状段部２ｂを備えるという立体構造も右側サイドパッド１と同様であるので、左側サイドパッド２の組み上げ工程や構造に関する説明は省略する。
【００４１】
このように、左右一対の梱包材である右側サイドパッド１及び左側サイドパッド２は、段ボール材を折り曲げて組み上げてなる複数の角筒状構造を有するとともに、特に、幾つかの角筒状構造が互いに略垂直に交わるように組まれているので、この右側サイドパッド１と左側サイドパッド２は、その角筒状構造による良好な緩衝効果や耐衝撃性を有する。
つまり、この右側サイドパッド１と左側サイドパッド２によって挟み込み、右側サイドパッド１と左側サイドパッド２とともに包装箱Ｂに収納して梱包した充電器Ｃを、包装箱Ｂ外部からの衝撃や振動から保護することが可能になる。
【００４２】
特に、右側サイドパッド１と左側サイドパッド２は、充電器Ｃを挟み込むための嵌入凹部とは別に、それぞれ切欠状段部１ｂと切欠状段部２ｂを有しており、その切欠状段部１ｂ、２ｂに掛け渡すように付属アダプタＡ（付属アダプタＡを納めた小箱３）を載置するように収容することができるので、この右側サイドパッド１と左側サイドパッド２を用いれば、充電器Ｃと付属アダプタＡの２種類の梱包対象物を包装箱Ｂに好適に同梱して梱包することができる。
【００４３】
従って、本発明に係る梱包材である右側サイドパッド１と左側サイドパッド２は、２つの梱包対象物を好適に梱包することができる梱包材であるといえる。
【００４４】
なお、以上の実施の形態においては、本発明に係る梱包材を左右一対のサイドパッドに適用して説明したが、本発明はこれに限定されるものではなく、本発明に係る梱包材を、梱包対象物を前後から挟み込む前後一対のサイドパッドや、梱包対象物を上下から挟み込む上下一対のトップパッドとボトムパッドに適用してもよい。
【００４５】
また、角筒状構造とは、折り曲げられた段ボール材が少なくとも三面をなし、その段ボール材によって、その内部に空間を確保するようになっている角型の筒構造であれば、任意の形状であってよい。
【００４６】
また、その他、具体的な細部構造等についても適宜に変更可能であることは勿論である。
【図面の簡単な説明】
【００４７】
【図１】本発明に係る一対のサイドパッドを用いて充電器と付属アダプタを包装箱に収納する状態を斜視にて示す分解図である。
【図２】右側サイドパッドが折り上げられる前の状態を示す展開図である。
【図３】左側サイドパッドが折り上げられる前の状態を示す展開図である。
【図４】右側サイドパッドを折り曲げて組み上げる工程を示す説明図であり、延在片の折り曲げ工程（ａ）、上板部と下板部の折り曲げ工程（ｂ）、前板部の折り曲げ工程（ｃ）、後板部の折り曲げ工程（ｄ）、延在片を略Ｌ字状に折り曲げる工程（ｅ）、略Ｌ字状に折り曲げられた延在片の面に延在片を折り重ねる工程（ｆ）、右側サイドパッドの完成図（ｇ）を示している。
【図５】右側サイドパッドの嵌入凹部を示す拡大図である。
【図６】右側サイドパッドの切欠状段部を示す拡大図であり、仮想頂点に直交する３つの面に関する説明図（ａ）と、切欠状段部の面部を支える略Ｔ字状を呈するように組まれた段ボール材を示す説明図（ｂ）である。
【符号の説明】
【００４８】
１      右側サイドパッド（梱包材）
１ｂ    切欠状段部
１ｃ    嵌入凹部
１０    外面部
１１    上板部
１２    下板部
１３    前板部
１４    後板部
２      左側サイドパッド（梱包材）
２ｂ    切欠状段部
２ｃ    嵌入凹部
２０    外面部
２１    上板部
２２    下板部
２３    前板部
２４    後板部
３      小箱
Ａ      付属アダプタ（第２の対象梱包物）
Ｂ      包装箱
Ｃ      充電器（第１の梱包対象物）
【図１】
2008222298.tif 000003
【図２】
2008222298.tif 000004
【図３】
2008222298.tif 000005
【図４】
2008222298.tif 000006
【図５】
2008222298.tif 000007
【図６】
2008222298.tif 000008